(57)【要約】【課題】待受中のハンドオフに伴うサービスが中断を防止する。【解決手段】無線通信端末装置に対してサービス情報を放送する基地局装置と、前記サービス情報を待受時に選択的に受信する無線通信端末装置と、を含む通信システムで使用される基地局装置であって、自局の周辺に位置する他の基地局装置の情報、及び、当該他の基地局装置が前記サービス情報の送信に対応しているか否かを示すサービス対応情報を記憶する記憶手段を備える。【選択図】  図１
2006074158.tif 000002
【特許請求の範囲】
【請求項１】
無線通信端末装置に対してサービス情報を放送する基地局装置と、前記サービス情報を待受時に選択的に受信する無線通信端末装置と、を含む通信システムで使用される基地局装置であって、
自局の周辺に位置する他の基地局装置の情報、及び、当該他の基地局装置が前記サービス情報の送信に対応しているか否かを示すサービス対応情報を記憶する記憶手段を備えることを特徴とする基地局装置。
【請求項２】
前記記憶手段に記憶されている前記他の基地局装置の情報及び前記サービス対応情報を、前記無線通信端末装置に対して送信する送信手段を備えることを特徴とする請求項１に記載の基地局装置。
【請求項３】
待受時に、基地局装置から無線通信端末装置に対して放送されるサービス情報を選択的に受信し、かつ前記基地局装置から周辺に位置する他の基地局装置の情報、及び当該他の基地局装置が前記サービス情報に対応しているか否かを示すサービス対応情報を受信する受信手段と、
前記サービス対応情報に基づいて、前記サービス情報に対応する基地局装置を、前記他の基地局装置から特定する制御手段と、を有することを特徴とする無線通信端末装置。
【請求項４】
前記受信手段は、前記サービス情報を、当該サービス情報を識別する識別情報とともに受信し、
前記制御手段は、当該識別情報及び前記サービス対応情報に基づいて、前記サービス情報に対応する基地局装置を前記他の基地局装置の中から特定することを特徴とする請求項３に記載の無線通信端末装置。
【請求項５】
前記制御手段は、
前記基地局装置との間の通信品質及び前記特定された基地局装置との間の通信品質を検出し、
当該検出結果に基づいてハンドオフ候補の基地局装置を特定し、
前記ハンドオフ候補として特定された基地局装置にハンドオフする必要があるか否かを判断し、
ハンドオフが必要であると判断した場合には、前記ハンドオフ候補として特定した基地局装置にハンドオフすることを特徴とする請求項３又は４に記載の無線通信端末装置。
【請求項６】
前記制御手段は、前記サービス情報に対応するものとして特定された基地局装置との間の通信品質のみを検出することを特徴とする請求項３から５のいずれか一つに記載の無線通信端末装置。
【請求項７】
基地局装置と、無線通信網を介して前記基地局装置とデータを送受信する無線通信端末装置とを含む通信システムにおける通信方法であって、
前記基地局装置は、無線通信端末装置に対してサービス情報を放送し、
前記無線通信端末装置は、待受中に、前記サービス情報を選択的に受信し、
前記基地局装置は、自局の周辺に位置する少なくとも一つの他の基地局装置の情報及び当該他の基地局装置が前記サービス情報の放送に対応しているか否かを示すサービス対応情報を、前記無線通信端末装置に対して送信し、
前記無線通信端末装置は、前記サービス情報を継続して受信中に前記他の基地局装置の情報とともに前記サービス対応情報を受信し、前記受信したサービス対応情報に基づいて前記受信中のサービス情報に対応する基地局装置を前記他の基地局装置の中から特定することを特徴とする通信方法。
【請求項８】
無線通信網を介して基地局装置とデータを送受信する送受信手段と、前記送受信手段によるデータの送受信を制御する制御手段と、を有する無線通信端末装置に以下の手順を実行させるプログラムであって、
待受時に、前記基地局装置から無線通信端末装置に対して放送されるサービス情報を選択的に受信し、
前記基地局装置が送信した、自局の周辺に位置する他の基地局装置の情報及び当該他の基地局装置が前記サービス情報の送信に対応しているか否かを示すサービス対応情報を、前記サービス情報の受信中に受信し、
前記受信したサービス対応情報に基づいて、前記他の基地局装置の中から前記サービス情報に対応する基地局装置を特定する手順を含むプログラム。
【請求項９】
さらに、前記サービス情報を、複数のサービス情報の中からサービス情報を識別する識別情報とともに受信し、
当該識別情報と前記サービス対応情報に基づいて、前記他の基地局装置の中から前記サービス情報に対応する基地局装置を特定する手順を、無線通信端末装置に実行させる請求項８に記載のプログラム。
【請求項１０】
さらに、前記基地局装置との間の通信品質及び前記特定した基地局装置との間の通信品質を検出し、
当該検出結果に基づいてハンドオフ候補の基地局装置を特定し、
前記特定された基地局装置にハンドオフする必要があるか否かを判断し、
ハンドオフが必要であると判断した場合には、前記特定した基地局装置にハンドオフする手順を、無線通信端末装置に実行させる請求項８又は９に記載のプログラム。
【請求項１１】
さらに、前記サービス情報に対応するものとして特定された基地局装置との間の通信品質のみを検出する手順を、無線通信端末装置に実行させる請求項８から１０のいずれか一つに記載のプログラム。
【発明の詳細な説明】
【技術分野】
【０００１】
本発明は、無線通信システムに関し、特に、ハンドオフに伴うサービス中断防止技術に関する。
【背景技術】
【０００２】
携帯電話システムでは、位置を移動しながら通信を継続する無線通信端末にとって常に最適な通信環境を確保するために、無線通信端末との電波状態に応じて接続する基地局を切り替える処理（以降、ハンドオフと呼ぶ）を行っている。無線通信端末は、通信中の基地局から送られてくる信号の強度と、それ以外の周辺基地局から送られてくる信号の強度の両方を測定し、より適切な無線状態を維持するための処理を行なっている。
【０００３】
例えばＩＳ９５方式のＣＤＭＡ携帯電話機の場合、携帯電話機が現在通信中の基地局からの信号強度と、それ以外の周辺基地局からの信号強度を測定する。そして、携帯電話機が通信中の場合は、測定した信号強度を基地局に報告し、ハンドオフの判断を基地局に委ねている。また、携帯電話機が待受中の場合は、測定結果に基づいて端末自身の判断で基地局を切り替えている（例えば、特許文献１参照。）。
【特許文献１】特開２００２−１７１５５５号公報
【発明の開示】
【発明が解決しようとする課題】
【０００４】
ところが、前述した従来のハンドオフ方式では、端末周辺の基地局の電波状態によってハンドオフを判断するのみであるため、ユーザが特定の基地局群（エリア）のみで提供されている情報サービスを利用している場合、そのエリアを跨いで情報サービスを継続して利用するためには、ハンドオフの際にその情報サービスの提供エリアを考慮する必要がある。
【０００５】
そのような情報サービスとしては、例えば、ブロードキャストサービスやマルチキャストサービスがある。ブロードキャストサービスは、無線通信回線網を利用し、基地局装置が自局のサービスエリア内の無線通信端末装置全体に対して継続的にデータをコネクションレス形式で送信する、すなわち、「放送する」新しいサービス形態である。
【０００６】
また、マルチキャストサービスは、上記ブロードキャストサービスに関連して、サービスエリア内の無線通信端末装置の中でも特定のサービス情報（例えば、有料サービス情報）を契約している特定のユーザのみがサービス情報を視聴できるように放送するサービス形態である。
【０００７】
ブロードキャストサービスやマルチキャストサービスで送信するデータの態様としては具体的に、文字情報や音声／音楽情報やストリーミング映像情報等があり、これら情報を本明細書中では「サービス情報」と呼ぶ。
【０００８】
ユーザは、サービス情報を利用するための所定の通信用プログラムを起動したり、サービス情報を受信する所定のモードを選択したりすることによって、待受け状態にある無線通信端末装置がブロードキャストサービス又はマルチキャストサービスのサービスエリア内に入ったときに、ユーザが受信を望むサービス情報を選択して受信して視聴することができる。待受け状態にある無線通信端末装置を持ったユーザがサービス情報を放送しているサービスエリア内に入り、サービス情報を無線通信端末装置で受信して視聴することができるものである。
【０００９】
しかし、ブロードキャストサービスのような新しいサービスでは、サービス開始時に全ての基地局装置が対応しているとは限らない。また、次々と新たなチャネルが増えてくることが予想されるので、新設されたチャネルに全ての基地局が対応しているとは限らない。このようなことから、基地局によって対応しているサービスが異なるということが発生する。
【００１０】
従来技術では、基地局から通知される周辺基地局情報には、周辺基地局からの無線信号を受信するために必要な情報が含まれていた。例えば、ＩＳ９５方式の携帯電話システムの場合、基地局から通知される周辺基地局情報は、図１０に示されるように、無線クラス(NGHBR_BAND)、周波数(NGHBR_FREQ)、基地局の動作基準時間情報(NGHBR_PN、NGHBR_TX_OFFSET,..)、等であった。これらの情報は、基地局からの無線信号強度を測定してハンドオフをするためには十分であったが、周辺基地局のがサービス情報の放送に対応しているか否かに関する情報は含まれていない。よって、ハンドオフ先の基地局でも、現在と同じサービスが継続するかは判断できなかった。
【００１１】
例えば、携帯電話システムの基地局によって構成されるセルは、図１１に示すように、隣接して（又は、一部が重複して）設けられている。このとき、図１２に示すように、全ての基地局（セル）で同じサービスが提供されていれば、無線通信端末はどのセルに移動しても、現在と同じサービスの提供を受けることができる。しかし、図１３に示すように、一部のセル（Ａ〜Ｄ）でブロードキャストサービスが提供されており、他の一部のセル（Ｅ〜Ｇ）ではブロードキャストサービスが提供されていない場合、ブロードキャストサービスの提供を受けている移動通信端末がセルＥ〜Ｇにハンドオフすると、ブロードキャストサービスの提供が受けられなくなる。
【００１２】
すなわち、従来は周辺基地局からの信号強度を測定し、それのみに基づいて待受中のハンドオフを行なっているため、待受中にも利用されるサービス情報の提供を受けているときに、このサービス情報を提供していない基地局へのハンドオフが発生した場合、サービスが中断することがあった。
【００１３】
本発明の課題をまとめると、待受時において、ブロードキャストサービスやマルチキャストサービスを受信中に、当該ブロードキャストサービスに対応していない基地局にハンドオフが行われてしまうことがあり、この結果、受信していたブロードキャストサービスを受信できなくなってしまうという問題が生じる。
【課題を解決するための手段】
【００１４】
第１の発明は、無線通信端末装置に対してサービス情報を放送する基地局装置と、前記サービス情報を待受時に選択的に受信する無線通信端末装置と、を含む通信システムで使用される基地局装置であって、自局の周辺に位置する他の基地局装置の情報、及び、当該他の基地局装置が前記サービス情報の送信に対応しているか否かを示すサービス対応情報を記憶する記憶手段を備える。
【００１５】
第２の発明は、第１の発明において、前記記憶手段に記憶されている前記他の基地局装置の情報及び前記サービス対応情報を、前記無線通信端末装置に対して送信する送信手段を備える。
【００１６】
第３の発明は、待受時に、基地局装置から無線通信端末装置に対して放送されるサービス情報を選択的に受信し、かつ前記基地局装置から周辺に位置する他の基地局装置の情報、及び当該他の基地局装置が前記サービス情報に対応しているか否かを示すサービス対応情報を受信する受信手段と、前記サービス対応情報に基づいて、前記サービス情報に対応する基地局装置を、前記他の基地局装置から特定する制御手段と、を有する。
【００１７】
第４の発明は、第３の発明において、前記受信手段は、前記サービス情報を、当該サービス情報を識別する識別情報とともに受信し、前記制御手段は、当該識別情報及び前記サービス対応情報に基づいて、前記サービス情報に対応する基地局装置を前記他の基地局装置の中から特定する。
【００１８】
第５の発明は、第３又は第４の発明において、前記制御手段は、前記基地局装置との間の通信品質及び前記特定された基地局装置との間の通信品質を検出し、当該検出結果に基づいてハンドオフ候補の基地局装置を特定し、前記ハンドオフ候補として特定された基地局装置にハンドオフする必要があるか否かを判断し、ハンドオフが必要であると判断した場合には、前記ハンドオフ候補として特定した基地局装置にハンドオフする。
【００１９】
第６の発明は、第３から第５の発明において、前記制御手段は、前記サービス情報に対応するものとして特定された基地局装置との間の通信品質のみを検出する。
【００２０】
第７の発明は、基地局装置と、無線通信網を介して前記基地局装置とデータを送受信する無線通信端末装置とを含む通信システムにおける通信方法であって、前記基地局装置は、無線通信端末装置に対してサービス情報を放送し、前記無線通信端末装置は、待受中に、前記サービス情報を選択的に受信し、前記基地局装置は、自局の周辺に位置する少なくとも一つの他の基地局装置の情報及び当該他の基地局装置が前記サービス情報の放送に対応しているか否かを示すサービス対応情報を、前記無線通信端末装置に対して送信し、前記無線通信端末装置は、前記サービス情報を継続して受信中に前記他の基地局装置の情報とともに前記サービス対応情報を受信し、前記受信したサービス対応情報に基づいて前記受信中のサービス情報に対応する基地局装置を前記他の基地局装置の中から特定する。
【００２１】
第８の発明は、無線通信網を介して基地局装置とデータを送受信する送受信手段と、前記送受信手段によるデータの送受信を制御する制御手段と、を有する無線通信端末装置に以下の手順を実行させるプログラムであって、待受時に、前記基地局装置から無線通信端末装置に対して放送されるサービス情報を選択的に受信し、前記基地局装置が送信した、自局の周辺に位置する他の基地局装置の情報及び当該他の基地局装置が前記サービス情報の送信に対応しているか否かを示すサービス対応情報を、前記サービス情報の受信中に受信し、前記受信したサービス対応情報に基づいて、前記他の基地局装置の中から前記サービス情報に対応する基地局装置を特定する手順を含む。
【００２２】
第９の発明は、第８の発明において、さらに、前記サービス情報を、複数のサービス情報の中からサービス情報を識別する識別情報とともに受信し、当該識別情報と前記サービス対応情報に基づいて、前記他の基地局装置の中から前記サービス情報に対応する基地局装置を特定する手順を、無線通信端末装置に実行させる。
【００２３】
第１０の発明は、第８又は第９の発明において、さらに、前記基地局装置との間の通信品質及び前記特定した基地局装置との間の通信品質を検出し、当該検出結果に基づいてハンドオフ候補の基地局装置を特定し、前記特定された基地局装置にハンドオフする必要があるか否かを判断し、ハンドオフが必要であると判断した場合には、前記特定した基地局装置にハンドオフする手順を、無線通信端末装置に実行させる。
【００２４】
第１１の発明は、第８から第１０の発明において、さらに、前記サービス情報に対応するものとして特定された基地局装置との間の通信品質のみを検出する手順を、無線通信端末装置に実行させる。
【発明の効果】
【００２５】
本発明では、基地局から通知される周辺基地局情報に、周辺基地局が提供しているサービス情報を示す情報を含めた。そして、通知された情報と端末が利用しているサービスとに基づいて、ハンドオフ候補となる周辺基地局を選択する。すなわち、無線通信端末が、ハンドオフを行なう前に周辺の無線基地局が対応しているサービス情報を知ることができ、サービス情報に対応した周辺基地局のみにハンドオフすることができるので、ハンドオフによるサービスの切断を避けることができる。
【００２６】
また、ハンドオフが可能な周辺基地局が限定されるので、周辺基地局の検索時間が短縮でき、処理にかかる負荷を低減でき、消費電力を削減することができる。
【発明を実施するための最良の形態】
【００２７】
以下、本発明の実施の形態を図面を参照して説明する。以下に説明する実施の形態は、ＩＳ９５方式に本発明を適用したものである。
【００２８】
図１は、本発明の実施の形態の移動通信システムのブロック図である。
【００２９】
ブロードキャスト・マルチキャストサーバ２はＩＰネットワーク３を介してブロードキャスト・マルチキャストＰＤＳＮ（BCMCS Packet Data Service Node）４に接続されている。ブロードキャスト・マルチキャストＰＤＳＮ４は、ＲＡＮ６Ａを介して無線基地局（Ａ〜Ｄ）７に接続されている。
【００３０】
なお、ＰＤＳＮ４はパケットデータ処理ノードであり、ＲＡＮ６Ａは無線ネットワークである。
【００３１】
また、ブロードキャスト・マルチキャストサーバ２はＩＰネットワーク３を介してブロードキャスト・マルチキャスト非対応のＰＤＳＮ５に接続されている。ブロードキャスト・マルチキャスト非対応ＰＤＳＮ５は、ＲＡＮ６Ｂを介して無線基地局（Ｅ〜Ｇ）７に接続されている。
【００３２】
これらの無線基地局（Ａ〜Ｇ）７は通信エリア内に存在する無線通信端末１と通信をする。すなわち、無線基地局Ａ〜Ｄは、ブロードキャスト・マルチキャストサービスを提供しており、無線基地局Ｅ〜Ｇは、ブロードキャスト・マルチキャストサービスを提供していない。このとき、無線基地局７によって構成されるエリアは図１３のようになる。
【００３３】
図１３のエリア図を参照すると、無線基地局Ａ〜Ｄは、それぞれのセルをサービスエリアとして、サービスエリア内の無線通信端末全体に対して継続的にブロードキャストサービスのサービス情報をコネクションレス形式で送信する、すなわち、放送する。また、無線基地局Ａ〜Ｄは、それぞれのサービスエリア内の無線通信端末の中でも特定のサービス情報（例えば、有料サービス情報）を契約している特定のユーザのみがサービス情報を視聴できるようにマルチキャストサービスのサービス情報をコネクションレス形式で送信する、すなわち、放送する。
【００３４】
そのような情報サービスとしては、例えば、ブロードキャストサービスやマルチキャストサービスがある。ブロードキャストサービスは、無線通信回線網を利用し、基地局装置が自局のサービスエリア内の無線通信端末装置全体に対して継続的にデータをコネクションレス形式で送信する、すなわち、「放送する」新しいサービス形態である。
【００３５】
また、マルチキャストサービスは、上記ブロードキャストサービスに関連して、サービスエリア内の無線通信端末装置の中でも特定のサービス情報（例えば、有料サービス情報）を契約している特定のユーザのみがサービス情報を視聴できるように放送するサービス形態である。
【００３６】
ブロードキャストサービスやマルチキャストサービスで送信するデータの態様としては具体的に、文字情報や音声／音楽情報やストリーミング映像情報等があり、これら情報を本明細書中では「サービス情報」と呼ぶ。
【００３７】
ユーザは、サービス情報を利用するための所定の通信用プログラムを起動したり、サービス情報を受信する所定のモードを選択したりすることによって、待受け状態にある無線通信端末装置がブロードキャストサービス又はマルチキャストサービスのサービスエリア内に入ったときに、ユーザが受信を望むサービス情報を選択して受信して視聴することができる。待受け状態にある無線通信端末装置を持ったユーザがサービス情報を放送しているサービスエリア内に入り、サービス情報を無線通信端末装置で受信して視聴することができるものである。
【００３８】
前述したブロードキャストービスは、無線通信端末装置と無線基地局間でコネクションを確立することなく、無線基地局から送られてくるデータを無線通信端末装置側が一方的に受信する。以下、ブロードキャストサービスを実現する場合のＩＳ−９５方式で採用されているＣＤＭＡ方式におけるチャネル構成を説明する。
【００３９】
図８は、ＣＤＭＡ（符号分割多重）方式におけるチャネル構成を示す。
【００４０】
ＣＤＭＡ方式では、無線基地局の情報を送信する制御チャネル（Ｐｉｌｏｔ、Ｓｙｎｃ、Ｐａｇｅ）が割り当てられている。これらのチャネルに連続してブロードキャストサービス用のチャネル（ＢＣＭＣＳ）を割り当てる。
【００４１】
無線通信端末装置側でブロードキャスト用の通信用プログラムが起動すると、制御チャネルを受信するタイミングと同期してＢＣＭＣＳを受信する。これによって、待受け中にも常時ＢＣＭＣＳを受信することができ、ブロードキャストサービスの提供を受けることができる。
【００４２】
なお、ブロードキャストサービスのサービス情報の具体的な態様としては、テレビ放送やストリーミングのような「映像情報」、ラジオ放送のような「音声／音楽情報」、ニュース掲示板のような「文字情報」等がある。
【００４３】
図９は、別の例として、ＴＤＭＡ（時分割多重）方式におけるチャネル構成を示す。
【００４４】
ＴＤＭＡ方式では、FORWARDLINKが時間分割されているので、一つのタイムスロット内に（例えば、制御チャネルに隣接するチャネル）にブロードキャストサービス用のチャネル（ＢＣＭＣＳ）を割り当てることができる。
【００４５】
無線通信端末装置側でブロードキャスト用のアプリが起動すると、制御チャネルを受信するタイミングと同期してＢＣＭＣＳを受信する。これによって、待受け中にも常時ＢＣＭＣＳを受信することができ、ブロードキャストサービスの提供を受けることができる。
【００４６】
図２は、本発明の実施の形態の無線通信端末１の構成を示すブロック図である。
【００４７】
本実施の形態の無線通信端末１は、通常の音声通信、データ通信の他、ブロードキャストデータ通信及びマルチキャストデータ通信に対応している。
【００４８】
アンテナ１０は、無線処理部１１に接続されており、無線基地局７からの電波を受信し、無線基地局７に対し電波を送信する。無線処理部１１は、ＩＳ−９５方式に従って送受信処理を行なう。
【００４９】
無線処理部は、アンテナ１０から送信される高周波信号を生成する送信部、及び、アンテナ１０で受信した高周波信号を増幅、周波数変換等をして、ベースバンド信号として情報処理部１２に出力する受信部によって構成されている。
【００５０】
情報処理部１２は、ベースバンド部及び無線制御部によって構成されている。ベースバンド部は、ベースバンド部内のコーデック部にて、ベースバンド信号をデジタル信号に復調する。また、コーデック部ではデジタル信号を変調し、ベースバンド信号を生成する。
【００５１】
無線制御部は、記憶装置１３に記憶されたプログラムを実行することによって、通話機能の動作の制御や無線通信を利用する様々なサービスを処理する。具体的には、ブロードキャストサービス及びマルチキャストサービスにおけるデータ受信を制御する。また、無線処理部１１によって送受信される周波数や、送受信タイミング、送信する電波の出力を制御する。また、通信相手の無線基地局を選択し、無線基地局を切り替えるハンドオフを制御する。
【００５２】
このハンドオフには、通話中のハンドオフと、待受中のハンドオフ（アイドルハンドオフ）がある。待受け中、無線通信端末１は、常時、無線基地局７から制御チャネルで送信される制御情報を一定時間ごとに受信し、制御情報に含まれる周辺基地局情報に基づいて周辺基地局からの電波を受信して通信品質を調べる。その結果、周辺基地局の中で現在接続している無線基地局より通信品質が優れている無線基地局があった場合、新たな無線基地局に切り替えるハンドオフを行う。
【００５３】
記憶装置１３は、無線通信端末１の動作に必要な情報や制御プログラムを記憶する。具体的には、現在利用しているサービス情報（InuseServ）や、周辺基地局情報（Neiber[i]）などの無線通信やサービス情報の受信に必要な様々な情報を記憶する。
【００５４】
また、無線通信端末１には利用者とのインターフェースとなる入力部１４、表示部１５、受話部１６及び送話部１７が設けられている。
【００５５】
入力部１４は、文字、数字の入力、無線通信端末１への動作の指示を受け付ける。表示部１５は、情報処理部１２によって制御され、文字情報、画像情報、無線通信端末１の動作状態（電波強度、電池残量、時刻）等を表示する液晶表示パネルと、液晶表示パネルを照明するバックライトによって構成される。
【００５６】
受話部１６は、情報処理部１２で復調された音声信号を変換して、音響信号を出力する。送話部１７は、入力された音響信号を電気信号に変換する。
【００５７】
なお、本実施の形態では、無線処理部１１と情報処理部１２がそれぞれ、送受信手段と制御手段として機能する。
【００５８】
次に、本発明の実施の形態の周辺基地局について説明する。
【００５９】
図３は、本発明の実施の形態の無線基地局７の構成を示すブロック図である。
【００６０】
本実施の形態の無線基地局７は、通常の音声通信、データ通信の他、ブロードキャストデータ通信及びマルチキャストデータ通信に対応している。
【００６１】
アンテナ２０は、無線処理部２１に接続されており、無線通信端末１からの電波を受信し、無線通信端末１に対し電波を送信する。無線処理部２１はＣＤＭＡ２０００  １ｘ方式に従って送受信処理を行う。
【００６２】
無線処理部２１は、アンテナ２０から送信される高周波信号を生成する送信部、及び、アンテナ２０で受信した高周波信号を増幅、周波数変換等をして、ベースバンド信号として情報処理部２２に出力する受信部によって構成されている。
【００６３】
情報処理部２２は、ベースバンド部及び無線制御部によって構成されている。ベースバンド部は、ベースバンド部内のコーデック部にて、ベースバンド信号を音声信号に復調する。また、コーデック部では音声信号を復調し、ベースバンド信号を生成する。無線制御部は、記憶装置２３に記憶されたプログラムを実行することによって、通話機能の動作の制御や無線通信を利用する様々なサービスを処理する。具体的には、ブロードキャストサービス及びマルチキャストサービスにおけるデータ送信を制御する。また、無線処理部２１によって送受信される周波数や、送受信タイミング、送信する電波の出力を制御する。また、無線通信端末１から受信する通信品質情報に基づいて、無線基地局を切替えるハンドオフを制御する。
【００６４】
このハンドオフには、通話中のハンドオフと待受け中のハンドオフ（アイドルハンドオフ）がある。通話中、無線基地局７は、無線通信端末１から制御チャネルで送信される制御情報を受信し、この制御情報に含まれる通信品質に関する情報に基づいて周辺の無線基地局にハンドオフすべきか判断する。その結果、ハンドオフすべき場合、新たな無線基地局に切替えるハンドオフを行う指示を無線通信端末１とＲＡＮ６Ａ又は６Ｂに送る。
【００６５】
記憶装置２３は、無線基地局２０の動作に必要な情報や制御プログラムを記憶する。具体的には、自基地局が対応しているサービス情報や、後述する周辺基地局情報などの無線通信やサービス情報の送信に必要な様々な情報を記憶する。
【００６６】
なお、本実施の形態では、無線処理部２１と情報処理部２２と記憶装置２３とがそれぞれ、送受信手段と制御手段と記憶手段として機能する。
【００６７】
次に、無線基地局７が記憶装置２３に記憶している周辺基地局情報について詳細に説明する。
【００６８】
図４は、本発明の実施の形態の周辺基地局情報の構成図である。
【００６９】
周辺基地局情報は、現在通信中の無線基地局から送信される報知情報に含めて送信される。また、図４では、ＣＤＭＡ  ２０００１ｘ方式の周辺基地局情報を示す。
【００７０】
本実施の形態の周辺基地局情報には、前述した従来の周辺基地局情報（図１０）に加え、サービス情報（SERVICE_INCL、NGHBER_SERVICE）が追加されている。
【００７１】
SERVICE_INCLは、周辺基地局情報に、サービス種別情報（NGHBER_SERVICE）が含まれているかを示す。すなわち、SERVICE_INCL = "1"であれば、次のフィールドがNGHBER_SERVICEである。
【００７２】
NGHBER_SERVICEは、当該周辺の無線基地局で提供可能なサービス内容を示す。
【００７３】
図５は、本発明の実施の形態のサービス種別情報の定義を示す。
【００７４】
本実施の形態のサービス種別情報は７ビットで構成されており、各ビットが当該無線基地局で提供されるサービスを示す。
【００７５】
図５の例では、１ビット目がブロードキャストサービス、２ビット目〜４ビット目がそれぞれマルチキャストサービス１〜３を示しており、５ビット目〜７ビット目はサービス提供が予約されているが未だ開始していない３種類のサービスに割り当てられている。
【００７６】
例えば、ある無線基地局のサービス種別情報が"0000000"であれば、当該無線基地局では何れのサービスも提供されていないことを示す。また、ある無線基地局のサービス種別情報が"0000111"であれば、ブロードキャストサービス、マルチキャストサービス１及びマルチキャストサービス２が提供可能なことを示す。
【００７７】
図６は、本発明の実施の形態の無線通信端末１のハンドオフ処理のフローチャートであり、待受中に実行される。
【００７８】
まず、無線通信端末１は、周辺の無線基地局の電波状態の測定タイミング毎に、接続中の無線基地局から報知情報を受信する（Ｓ１０１）。情報処理部１２は、受信した報知情報から、周辺基地局情報を抽出する。
【００７９】
そして、情報処理部１２は、記憶装置１３から周辺基地局検索リスト（図７）を読み出す（Ｓ１０２）。
【００８０】
その後、情報処理部１２は、特定のサービスを利用中か否かを判定し、記憶装置１３のサービス情報（InuseServ）に記憶する（Ｓ１０３）。これは、そのサービスに対応するアプリケーションソフトウェアが起動しているかによって判定する。すなわち、無線基地局７から送信されているコンテンツの種類によって、提供されているサービスの種類が判定される。
【００８１】
次に、情報処理部１２は、特定のサービスを利用中であれば、周辺の無線基地局のサービス情報に基づいて、周辺基地局検索リストを再構築する（Ｓ１０４）。すなわち、無線通信端末１は、無線基地局７から通知された周辺の無線基地局のサービス情報を周辺基地局検索リストに登録する。
【００８２】
一方、情報処理部１２は、特定のサービスが利用中でなければ、周辺基地局検索リストを再構築することなく、ステップＳ１０５に進む。
【００８３】
図７は、本発明の実施の形態の無線通信端末１の記憶装置１３に記憶される周辺基地局検索リスト（Neiber[i]リスト）を示す。
【００８４】
周辺基地局検索リストは、現在通信中の無線基地局から報知情報に含めて送信される周辺の無線基地局のサービス情報に基づいて作成される。
【００８５】
”Ｎｏ”は、周辺基地局検索リストの記録されるレコードの番号である。
【００８６】
”ＰＮ”は、当該周辺の無線基地局のＰＮオフセットである。
【００８７】
”Ｃｈａｎｎｅｌ”は、当該周辺の無線基地局が使用中のチャネルを示す。
【００８８】
”Ｓｅｒｖｉｃｅ”は、当該周辺の無線基地局で提供可能なサービスの種別を示し、前述したサービス種別の定義（図５）に基づいて記載される。
【００８９】
ステップＳ１０５では、ＣＩＲ（希望波対干渉波比）を測定することによって、電波状態が悪化しているか否かを判定する。なお、ＣＩＲによらず、受信信号強度（ＲＳＳＩ：Received Signal Strength Indicator）や、受信信号の誤り率（ＢＥＲ：Bit Error Rate）を用いて、電波状態を判定してもよい。
【００９０】
電波状態が良好であると判定されると、ハンドオフを実行することなく、この処理を終了する。
【００９１】
一方、電波状態が悪化していると判定されると、周辺基地局検索リストを参照して、ハンドオフ候補の周辺の無線基地局を検索する（Ｓ１０６）。
【００９２】
具体的には、現在利用しているサービス情報（InuseServ）と、周辺基地局情報（Neiber[i]）との論理積を計算することによって、必要なサービスが提供されている無線基地局を特定する。
【００９３】
すなわち、InuseServ and Neiber[i].service ＝ InuseServ
であれば、無線通信端末１に必要なサービスを提供していない無線基地局である。
【００９４】
一方、InuseServ and Neiber[i].service ≠ InuseServ
であれば、無線通信端末１に必要なサービスを提供していない無線基地局である。
【００９５】
その後、無線通信端末１に必要なサービスを提供している無線基地局を特定し、ハンドオフ候補として特定された無線基地局のみ受信電界強度（ＲＳＳＩ）を測定する。そして、測定された受信電界強度に基づいてハンドオフ先を決定し、ハンドオフ先として決定された無線基地局にハンドオフをする（Ｓ１０７）。
【００９６】
例えば、無線通信端末は、現在ブロードキャストサービスを利用している場合、InuseServ = 0000001 となる。このとき、Neiber[i].service = ******1 （"*"は、任意の数値）の無線基地局がハンドオフ候補として利用可能となる。
【００９７】
なお、ブロードキャストサービスの利用が終了すると、サービス情報はInuseServ = 0000000となるため、全ての周辺の無線基地局のがハンドオフ候補となり、全ての無線基地局の受信電界強度を測定する。
【００９８】
本実施の形態のハンドオフ処理では、サービスを提供している無線基地局のみ受信電界強度を測定する。これによって、無線通信端末１が利用中のサービスを提供していない無線基地局の受信電界強度は測定されないため、ハンドオフ先となることはない。
【００９９】
本発明の実施の形態では、無線基地局７が通知する周辺基地局情報の中に、周辺の無線基地局７が提供しているサービス情報の種類を付加したので、無線通信端末１が、ハンドオフを行なう前に周辺の無線基地局が対応しているサービス情報を知ることができるので、ハンドオフによるサービスの切断を避けることができる。
【０１００】
また、無線基地局７が通知する周辺の無線基地局のサービス情報と、現在無線通信端末が利用しているサービスの内容に基づいて、周辺の電波環境測定を行う対象基地局と絞り込んで特定するので、周辺の無線基地局の検索時間が短縮でき、処理にかかる負荷を低減でき、消費電力を削減することができる。
【図面の簡単な説明】
【０１０１】
【図１】本発明の実施の形態の移動通信システムのブロック図である。
【図２】本発明の実施の形態の無線通信端末の構成を示すブロック図である。
【図３】本発明の実施の形態の無線基地局の構成を示すブロック図である。
【図４】本発明の実施の形態の周辺基地局情報の構成図である。
【図５】本発明の実施の形態のサービス種別情報の定義を示す。
【図６】本発明の実施の形態の無線通信端末のハンドオフ処理のフローチャートである。
【図７】本発明の実施の形態の無線通信端末に記憶される周辺基地局検索リストの説明図である。
【図８】ＣＤＭＡ方式におけるチャネル構成の説明図である。
【図９】ＴＤＭＡ方式におけるチャネル構成の説明図である。
【図１０】従来の形態の周辺基地局情報の構成図である。
【図１１】携帯電話システムの基地局によって構成されるセルの説明図である。
【図１２】携帯電話システムの基地局によって構成されるセルの説明図である。
【図１３】携帯電話システムの基地局によって構成されるセルの説明図である。
【符号の説明】
【０１０２】
１    無線通信端末
２    サーバ
３    ネットワーク
４    ＢＣＭＣＳ  ＰＤＳＮ
５    ＰＤＳＮ
６    ＲＡＮ
７    無線基地局
【図１】
2006074158.tif 000003
【図２】
2006074158.tif 000004
【図３】
2006074158.tif 000005
【図４】
2006074158.tif 000006
【図５】
2006074158.tif 000007
【図６】
2006074158.tif 000008
【図７】
2006074158.tif 000009
【図８】
2006074158.tif 000010
【図９】
2006074158.tif 000011
【図１０】
2006074158.tif 000012
【図１１】
2006074158.tif 000013
【図１２】
2006074158.tif 000014
【図１３】
2006074158.tif 000015